(57)【要約】      （修正有）【課題】ステップの取付を確実且つ容易に行うことができるマンコンベアを得る。【解決手段】マンコンベアの両乗降口間を循環移動するステップチェーンに連結されたステップ軸１と、このステップ軸に設けられたステップ支持部２ａ、２ｂと、このステップ支持部に係合することによりステップチェーンに連動してマンコンベアの両乗降口間を循環移動するステップ５とを備え、ステップは、確認孔３ａ、３ｂが形成された踏板３と、この踏板の確認孔を開閉する開閉蓋６ａ、６ｂと、この開閉蓋の開閉動作に連動して開閉蓋の閉鎖時にステップ支持部に係合するヘッド１０ａ、１０ｂとを有する。【選択図】図１
2006273556.tif 000002
【特許請求の範囲】
【請求項１】
マンコンベアの両乗降口間を循環移動するステップチェーンに連結されたステップ軸と、このステップ軸に設けられたステップ支持部と、このステップ支持部に係合することにより前記ステップチェーンに連動してマンコンベアの両乗降口間を循環移動するステップとを備え、上記ステップは、確認孔が形成された踏板と、この踏板の前記確認孔を開閉する開閉蓋と、この開閉蓋の開閉動作に連動して前記開閉蓋の閉鎖時に前記ステップ支持部に係合するヘッドとを有することを特徴とするマンコンベア。
【請求項２】
ヘッドは、踏板の幅方向に移動自在に設けられ、下方に開口する上側嵌合部が形成された上部ヘッドと、この上部ヘッドに設けられ、上方に開口する下側嵌合部が形成された下部ヘッドとを備え、前記上側嵌合部及び前記下側嵌合部内にステップ軸が配置されるように前記上部ヘッド及び前記下部ヘッドにより前記ステップ軸を挟み込むとともに、開閉蓋の閉動作に連動して前記ステップ軸の軸方向に移動することによりステップ支持部に係合することを特徴とする請求項１に記載のマンコンベア。
【請求項３】
踏板に形成された確認孔を開放させた状態でステップをステップ軸上に載置する工程と、前記確認孔を開閉する開閉蓋を閉じることにより、前記開閉蓋の開閉動作に連動するヘッドを移動させて前記ヘッドをステップ軸に設けられたステップ支持部に係合させる工程とを備えたことを特徴とするマンコンベアのステップの取付方法。
【請求項４】
マンコンベアの少なくとも１つの既設ステップを取り外し、前記既設ステップを支持していたステップ軸にステップ支持部を追加して設けるとともに、前記ステップ軸に、確認孔が形成された踏板と、この踏板の前記確認孔を開閉する開閉蓋と、この開閉蓋の開閉動作に連動して前記開閉蓋の閉鎖時に前記ステップ支持部に係合するヘッドとを有するステップを新設することを特徴とするマンコンベアの改修方法。
【発明の詳細な説明】
【技術分野】
【０００１】
この発明は、ステップの取り付け及び取り外しを容易に行うことができるマンコンベア及びマンコンベアのステップの取付方法並びにマンコンベアの改修方法に関するものである。
【背景技術】
【０００２】
マンコンベアは、通常、一側の乗降口のランディングプレート下方に設けられた機械室に、駆動装置とこの駆動装置の駆動力を受けて回動する駆動スプロケットとが設置されている。また、他側の乗降口のランディングプレート下方に設けられた機械室には、従動スプロケットが回動自在に設けられている。そして、駆動スプロケット及び従動スプロケットに無端状のステップチェーンが巻き掛けられており、ステップチェーンは、駆動装置の駆動力を受けて回動する駆動スプロケットに連動して、両乗降口間を循環移動するように構成されている。
【０００３】
また、上記ステップチェーンには、所定間隔毎にステップ軸が設けられている。そして、各ステップ軸には、マンコンベアの利用者が移動の際に乗るステップが連続的に連結されており、これらのステップは、ステップチェーンに連動して両乗降口間を循環移動する。
【０００４】
なお、図１０は、従来のマンコンベアのステップの構成及びステップの取付方法を示す図であり、マンコンベアの中でも特に上下階床間に設置されるエスカレータのステップについて示したものである。図１０において、エスカレータのステップは、利用者が移動の際に乗る踏板３と、上部乗降口及び下部乗降口間に設けられる傾斜部での蹴上げに相当するライザ４とによりステップ本体５が構成されている。そして、踏板３の裏面には、その両端部に、ステップ本体５をステップ軸１に固定するヘッド１２ａ及び１２ｂが設けられている。
【０００５】
かかる構成のステップをステップチェーンに連結されたステップ軸１に固定する場合、作業者は、先ず、両ヘッド１２ａ及び１２ｂの上側嵌合部１２ｃがステップ軸１に嵌合するように、ステップ本体５をステップ軸１上に載置する。ここで、ヘッド１２ａ及び１２ｂは、ステップ軸１が上側嵌合部１２ｃに配置されることにより、開放端が自動的に閉じてステップ軸１を上下から挟み込むように構成されている。次に、作業者は、踏板３に形成された取付孔１３ａ及び１３ｂに取付治具（図示せず）を挿入し、ヘッド１２ａ及び１２ｂの開放端がマンコンベアの運転中に開放しないように、踏板３上からヘッド１２ａ及び１２ｂに予め取り付けられているボルト１４を締め付ける。かかる手順によりステップがステップ軸１に固定される。
【０００６】
なお、マンコンベアのステップの従来技術として、ステップに形成された点検口に対向する側のクリート面に設けられたローラ体と、点検口周縁部近傍に設けられてローラ体が回動するためのレール部とを備えることにより、ステップのクリート面の取り外しを容易して、保守作業時の作業員の負担を軽減するようにしたものが提案されている（例えば、特許文献１参照）。
【０００７】
【特許文献１】特開２００３−９５５６７号公報
【発明の開示】
【発明が解決しようとする課題】
【０００８】
従来のマンコンベアでは、ステップをステップ軸に固定する際、ヘッドが適切にステップ軸を挟み込んでいるか、或いは、ボルトが確実に締結されているか等といったステップの取付状態を、そのステップ上から確認することができなかった。このため、作業員は、ステップをステップ軸に固定した後、ステップがまだ取り付けられていない側方から覗き込んで、ステップの取付状態を確認するといった動作を繰り返し行っていた。
【０００９】
しかし、上記確認方法では、ステップ軸に最後に取り付けるステップ（以下、「最後のステップ」という）の取付状態を確認することができなかった。このため、作業員は、最後のステップをステップ軸に固定した後、この最後のステップを一側の機械室まで移動させて機械室内からその取付状態を確認しなければならず、ステップの取付作業に時間を要して作業性が悪いという問題が生じていた。なお、ヘッドがステップ軸を適切に挟み込んでいない状態で締結固定されている等、その取付状態に不備がある場合には、マンコンベアの運転中に作用する負荷によってヘッドやボルトが破損してしまう恐れがあるため、ボルトの締結状態がステップ上から分からない以上、その確認作業を怠ることはできなかった。
【００１０】
なお、特許文献１記載のステップを使用した場合、ステップに形成された点検口から最後のステップの取付状態を確認することが可能であるが、ヘッドの固定作業と取り外したクリート面の固定作業との双方を行わなければならず、ステップの取付においては作業性が悪いという問題があった。
【００１１】
この発明は、上述のような課題を解決するためになされたもので、その目的は、ステップの取付を確実且つ容易に行うことができるマンコンベア及びマンコンベアのステップの取付方法並びにマンコンベアの改修方法を提供することである。
【課題を解決するための手段】
【００１２】
この発明に係るマンコンベアは、マンコンベアの両乗降口間を循環移動するステップチェーンに連結されたステップ軸と、このステップ軸に設けられたステップ支持部と、このステップ支持部に係合することによりステップチェーンに連動してマンコンベアの両乗降口間を循環移動するステップとを備え、ステップは、確認孔が形成された踏板と、この踏板の確認孔を開閉する開閉蓋と、この開閉蓋の開閉動作に連動して開閉蓋の閉鎖時にステップ支持部に係合するヘッドとを有するものである。
【００１３】
また、この発明に係るマンコンベアのステップの取付方法は、踏板に形成された確認孔を開放させた状態でステップをステップ軸上に載置する工程と、確認孔を開閉する開閉蓋を閉じることにより、開閉蓋の開閉動作に連動するヘッドを移動させてヘッドをステップ軸に設けられたステップ支持部に係合させる工程とを備えたものである。
【００１４】
また、この発明に係るマンコンベアの改修方法は、マンコンベアの少なくとも１つの既設ステップを取り外し、既設ステップを支持していたステップ軸にステップ支持部を追加して設けるとともに、ステップ軸に、確認孔が形成された踏板と、この踏板の前記確認孔を開閉する開閉蓋と、この開閉蓋の開閉動作に連動して開閉蓋の閉鎖時にステップ支持部に係合するヘッドとを有するステップを新設するものである。
【発明の効果】
【００１５】
この発明は、マンコンベアの両乗降口間を循環移動するステップチェーンに連結されたステップ軸と、このステップ軸に設けられたステップ支持部と、このステップ支持部に係合することによりステップチェーンに連動してマンコンベアの両乗降口間を循環移動するステップとを備え、ステップは、確認孔が形成された踏板と、この踏板の確認孔を開閉する開閉蓋と、この開閉蓋の開閉動作に連動して開閉蓋の閉鎖時にステップ支持部に係合するヘッドとを有する構成としたことで、ステップの取付を確実且つ容易に行うことができる。
【発明を実施するための最良の形態】
【００１６】
この発明をより詳細に説明するため、添付の図面に従ってこれを説明する。なお、各図中、同一又は相当する部分には同一の符号を付しており、その重複説明は適宜に簡略化ないし省略する。
【００１７】
実施の形態１．
図１はこの発明の実施の形態１におけるマンコンベアの要部斜視図であり、図２及び図３は、図１におけるマンコンベアのステップの要部側面図、要部正面図をそれぞれ示したものである。図示しないが、マンコンベアは、一側の乗降口のランディングプレート下方に設けられた機械室に、駆動装置とこの駆動装置の駆動力を受けて回動する駆動スプロケットとが設置されている。また、他側の乗降口のランディングプレート下方に設けられた機械室には、従動スプロケットが回動自在に設けられている。そして、駆動スプロケット及び従動スプロケットに無端状のステップチェーンが巻き掛けられており、ステップチェーンは、駆動装置の駆動力を受けて回動する駆動スプロケットに連動して、両乗降口間を循環移動するように構成されている。
【００１８】
図１乃至図３において、１は上記ステップチェーンに所定間隔毎に連結されたステップ軸である。そして、このステップ軸１の両端部に、ステップ支持部２ａ及び２ｂが設けられている。このステップ支持部２ａ及び２ｂは、互いに対向する一側が略円筒状を呈しており、ステップ軸１がその中空部を貫通して、ステップ軸１と円筒部との間に略リング状の所定の間隙が形成されている。
【００１９】
また、マンコンベアのステップは、利用者がマンコンベアの両乗降口間を移動する際に乗る踏板３と、上下階床間に設けられたマンコンベアにおいて上部乗降口及び下部乗降口間に設けられた傾斜部での蹴上げに相当するライザ４とによりステップ本体５が構成されている。そして、踏板３には、その両側に、開閉蓋６ａ及び６ｂによって開閉自在に構成された略長方形状を呈する２つの確認孔３ａ及び３ｂが形成されている。上記開閉蓋６ａ及び６ｂは、確認孔３ａ及び３ｂの外側縁部に設けられた回動軸７に回動自在に設けられるとともに、開閉蓋６ａ及び６ｂの開閉動作に連動する係合腕８ａ及び８ｂが、回動部分から下方外側に向かってそれぞれ斜設されている。即ち、係合腕８ａ及び８ｂは、開閉蓋６ａ及び６ｂが閉められるとそれぞれ回動軸７を中心に回転して踏板３の外側に移動し、開閉蓋６ａ及び６ｂが開けられるとそれぞれ回動軸７を中心に回転して踏板３の中央部側に移動するように構成されている。なお、係合腕８ａ及び８ｂには、回動軸７に直交する直線に沿って案内溝８ｃが形成されている。
【００２０】
また、踏板３には、その下面の両側に、摺動装置９ａ及び図示されない摺動装置により踏板３の幅方向に摺動自在に構成されたヘッド１０ａ及び１０ｂがそれぞれ設けられている。上記摺動装置９ａは、踏板３の下面に設けられて、踏板３の幅方向に嵌合溝９ｂが形成された案内部９ｃと、その上部が嵌合溝９ｂに嵌合して嵌合溝９ｂに沿って摺動可能に設けられた摺動体９ｄとから構成されている。
【００２１】
一方、上記ヘッド１０ａは、摺動体９ｄの下部に設けられることにより踏板３の幅方向に移動自在に設けられて、下方に開口する上側嵌合部１０ｃが形成された略半円筒状を呈する上部ヘッド１０ｄと、この上部ヘッド１０ｄの一側部に回動自在に設けられて、上方に開口する下側嵌合部１０ｅが形成された略半円筒状を呈する下部ヘッド１０ｆとから構成されており、上部ヘッド１０ｄと下部ヘッド１０ｆとの開放端が閉じられた際に、上側嵌合部１０ｃと下側嵌合部１０ｅとによって略円柱状の中空部が形成されるように構成されている。また、上部ヘッド１０ｄには、ヘッド１０ａの開放端側に突出する係合ピン１１が設けられており、この係合ピン１１は、前記係合腕８ａに形成された案内溝８ｃ内に配置されている。一方、下部ヘッド１０ｆには、上部ヘッド１０ｄに回動自在に設けられた一側部から上方に突設されて、ヘッド１０ａの開放時に、上部ヘッド１０ｄの上側嵌合部１０ｃ内に傾斜して配置される係合子１０ｇが備えられている。なお、ヘッド１０ｂは、上記ヘッド１０ａと同様の構成により、図示されない摺動装置により踏板３の下方に設けられている。
【００２２】
次に上記構成を有するマンコンベアのステップを、ステップチェーンに連結されたステップ軸１に固定する作業について説明する。図４及び図６及び図８はこの発明の実施の形態１におけるマンコンベアのステップの取付作業を説明するための図であり、図５は図４における要部斜視図、図７は図６における要部正面図、図９は図８における要部正面図である。図４乃至図９において、ステップをステップ軸１に固定する際、作業者は、先ず、踏板３に形成された確認孔３ａ及び３ｂを開放させた状態、即ち、開閉蓋６ａ及び６ｂを開けた状態でステップを持ち、ステップ軸１の上部が上部ヘッド１０ｄに形成された上側嵌合部１０ｃに嵌合するように、上部ヘッド１０ｄとステップ軸１との位置を確認孔３ａ及び３ｂから確認しながらステップをステップ軸１上に載置する。
【００２３】
この時、作業者がステップを持ち上げると、下部ヘッド１０ｆが自重で下方に移動するため、ヘッド１０ａ及び１０ｂは開放した状態となる。作業者は、確認孔３ａ及び３ｂからステップ軸１の位置を確認し、この開放端を通してステップ軸１を上部ヘッド１０ｄの上側嵌合部１０ｃ内に配置する。そして、ステップ軸１が上部ヘッド１０ｄの上側嵌合部１０ｃ内に配置される際に、ステップ軸１が下部ヘッド１０ｆの係合子１０ｇに接触して、この係合子１０ｇを上側嵌合部１０ｃの外側に押し出すように付勢する。下部ヘッド１０ｆは、この係合子１０ｇに連動して一側部を中心にして回転し、ヘッド１０ａの開放端を閉じるように上方へ移動する。かかる動作により、ステップ軸１が上側嵌合部１０ｃ及び下側嵌合部１０ｅ内に配置されて、上部ヘッド１０ｄ及び下部ヘッド１０ｆがステップ軸１を挟み込むように構成される。
【００２４】
また、作業者は、ステップをステップ軸１上に載置した後、ヘッド１０ａ及び１０ｂが確実に且つ適切にステップ軸１を挟み込んでいるかを、ステップ上から確認孔３ａ及び３ｂを通して確認する。そして、ヘッド１０ａ及び１０ｂの取付状態に問題がないことを確認して、開閉蓋６ａ及び６ｂを傾倒させて確認孔３ａ及び３ｂを閉じる。
【００２５】
この時、確認孔３ａ及び３ｂを開閉する開閉蓋６ａ及び６ｂが閉じられることにより、開閉蓋６ａ及び６ｂの開閉動作に連動する係合腕８ａ及び８ｂが、外側に移動するように回動軸７を中心にして回転する。そして、係合腕８ａ及び８ｂが外側に移動する際に、係合腕８ａ及び８ｂが、案内溝８ｃ内に配置された係合ピン１１を外側に付勢する。ヘッド１０ａ及び１０ｂは、付勢された係合ピン１１に連動して摺動装置９ａ等に案内されてステップ軸１の軸方向外側に移動し、開閉蓋６ａ及び６ｂが完全に閉鎖された際に、その外側端部がステップ支持部２ａ及び２ｂの略リング状の間隙に嵌合される。このように、開閉蓋６ａ及び６ｂの開閉動作に連動するヘッド１０ａ及び１０ｂが、開閉蓋６ａ及び６ｂの閉動作に連動してステップ軸１の軸方向に移動し、その閉鎖時にステップ支持部２ａ及び２ｂに係合することにより、ステップがステップ軸１に確実に固定される。
【００２６】
なお、ステップの取り外しは、上記取付方法とは逆の手順により容易に行うことが可能である。即ち、開閉蓋６ａ及び６ｂが開けられることにより、この開閉蓋６ａ及び６ｂの開閉動作に連動する係合腕８ａ及び８ｂが、踏板３の中央部側に移動するように回動軸７を中心にして回転する。そして、係合腕８ａ及び８ｂが移動する際に、係合腕８ａ及び８ｂは、案内溝８ｃ内に配置された係合ピン１１を踏板３の中央部側に付勢する。ヘッド１０ａ及び１０ｂは、付勢された係合ピン１１に連動してステップ軸１の軸方向中央部側に移動し、ステップ支持部２ａ及び２ｂに係合していた外側端部が略リング状の間隙内から離脱される。そして、作業者は、ヘッド１０ａ及び１０ｂの係合が外れたことを確認孔３ａ及び３ｂから確認し、ステップをステップ軸１から取り外す。かかる手順によりステップを取り外すことができる。
【００２７】
この発明の実施の形態１によれば、踏板３に形成された確認孔３ａ及び３ｂからヘッド１０ａ及び１０ｂの取付状態を確認することができるとともに、開閉蓋６ａ及び６ｂを閉める動作により、ヘッド１０ａ及び１０ｂの開放を防止して、確実且つ容易にステップをステップ軸１に固定することが可能となる。したがって、従来のように最後のステップの取付状態を機械室内で確認するような手間は必要なく、作業効率を向上させることが可能となる。なお、ヘッド１０ａ及び１０ｂの取付状態を確認孔３ａ及び３ｂから確認することができるとともに、確認孔３ａ及び３ｂから確認した際にその取付状態の不備に気づかない場合でも、ヘッド１０ａ及び１０ｂの取付状態に不備がある場合にはステップ支持部２ａ及び２ｂの間隙内にヘッド１０ａ及び１０ｂが勘合せず、開閉蓋６ａ及び６ｂを完全に閉めることができなくなるため、ステップ上から確実に取付状態の可否を判断することが可能である。
【００２８】
なお、マンコンベアに使用されるステップのうち、最後のステップのみを上記構成のステップにするだけでも上記効果を奏することが可能であるため、既設のマンコンベアの少なくとも１つのステップを上記構成のステップに交換することにより、その後の保守作業を容易にして、作業効率の改善を図ることが可能である。即ち、マンコンベアの少なくとも１つの既設ステップを取り外し、この既設ステップを支持していたステップ軸にステップ支持部を追加して設けるとともに、ステップ軸に、確認孔が形成された踏板と、この踏板の確認孔を開閉する開閉蓋と、この開閉蓋の開閉動作に連動して開閉蓋の閉鎖時にステップ支持部に係合するヘッドとを有するステップを新設するようにしても良い。また、確認孔３ａ及び３ｂを大きく形成して保守点検用として利用しても良い。
【００２９】
また、実施の形態１においては、係合腕８ａ及び８ｂにより開閉蓋６ａ及び６ｂの開閉動作をヘッド１０ａ及び１０ｂに伝達しているが、ヘッド１０ａ及び１０ｂが開閉蓋６ａ及び６ｂの開閉動作に連動していればいかなる構成のものでも構わず、例えば、開閉蓋６ａ及び６ｂの回動運動をヘッド１０ａ及び１０ｂの水平運動に変換するラックピニオン機構を利用しているものでも、この発明と同様の効果を奏することは言うまでもない。
【図面の簡単な説明】
【００３０】
【図１】この発明の実施の形態１におけるマンコンベアの要部斜視図である。
【図２】図１におけるマンコンベアのステップの要部側面図である。
【図３】図１におけるマンコンベアのステップの要部正面図である。
【図４】この発明の実施の形態１におけるマンコンベアのステップの取付作業を説明するための図である。
【図５】図４におけるマンコンベアのステップの要部斜視図である。
【図６】この発明の実施の形態１におけるマンコンベアのステップの取付作業を説明するための図である。
【図７】図６におけるマンコンベアのステップの要部正面図である。
【図８】この発明の実施の形態１におけるマンコンベアのステップの取付作業を説明するための図である。
【図９】図８におけるマンコンベアのステップの要部正面図である。
【図１０】従来のマンコンベアのステップ及びその取付方法を示す図である。
【符号の説明】
【００３１】
１  ステップ軸
２ａ、２ｂ  ステップ支持部
３  踏板
３ａ、３ｂ  確認孔
４  ライザ
５  ステップ本体
６ａ、６ｂ  開閉蓋
７  回動軸
８ａ、８ｂ  係合腕
８ｃ  案内溝
９ａ  摺動装置
９ｂ  嵌合溝
９ｃ  案内部
９ｄ  摺動体
１０ａ、１０ｂ、１２ａ、１２ｂ  ヘッド
１０ｃ、１２ｃ  上側嵌合部
１０ｄ  上部ヘッド
１０ｅ  下側嵌合部
１０ｆ  下部ヘッド
１０ｇ  係合子
１１  係合ピン
１３ａ、１３ｂ  取付孔
１４  ボルト
【図１】
2006273556.tif 000003
【図２】
2006273556.tif 000004
【図３】
2006273556.tif 000005
【図４】
2006273556.tif 000006
【図５】
2006273556.tif 000007
【図６】
2006273556.tif 000008
【図７】
2006273556.tif 000009
【図８】
2006273556.tif 000010
【図９】
2006273556.tif 000011
【図１０】
2006273556.tif 000012